(57)【要約】【課題】ユーザから受け付けられた第１の処理からユーザが行なうと予測される第２の処理を生成し、第２の処理に関連付けられたアイコン等の処理選択部をユーザに提示することができる処理装置等を提供できる。【解決手段】ユーザが行ないたい処理である第１の処理を受け付ける受付手段１１０と、受け付けられた第１の処理を行なうためのさらに具体的な処理である第２の処理を決定する決定手段１２０と、第２の処理に関連付けられ選択されることで第２の処理を行なう処理選択部を表示する表示手段における画像の表示を制御する画像制御手段１４０と、を備える処理装置。【選択図】図３
2018045556.tif 000002
【特許請求の範囲】
【請求項１】
ユーザが行ないたい処理である第１の処理を受け付ける受付手段と、
受け付けられた前記第１の処理を行なうためのさらに具体的な処理である第２の処理を決定する決定手段と、
前記第２の処理に関連付けられ選択されることで当該第２の処理を行なう処理選択部を表示する表示手段における画像の表示を制御する画像制御手段と、
を備える処理装置。
【請求項２】
前記画像制御手段は、前記第２の処理に関連付けられた複数の前記処理選択部をまとめて表示することを特徴とする請求項１に記載の処理装置。
【請求項３】
前記画像制御手段は、前記表示手段に対する予め定められたユーザの操作により、前記第２の処理に関連付けられた複数の前記処理選択部を当該表示手段上で集めることでまとめて表示することを特徴とする請求項２に記載の処理装置。
【請求項４】
前記画像制御手段は、前記第２の処理を実行後は、前記第２の処理に関連付けられた前記処理選択部を前記表示手段から消去することを特徴とする請求項１乃至３の何れか１項に記載の処理装置。
【請求項５】
前記画像制御手段は、前記第２の処理に関連付けられた複数の前記処理選択部の何れを選択し実行したかで、消去する当該処理選択部を変更することを特徴とする請求項４に記載の処理装置。
【請求項６】
前記決定手段は、ユーザが過去に前記第２の処理を実行した際の履歴を基に当該第２の処理を決定することを特徴とする請求項１乃至５の何れか１項に記載の処理装置。
【請求項７】
記録媒体に画像を形成する画像形成部と、
画像を表示する表示手段と、
自装置の制御を行なう制御部と、
を備え、
前記制御部は、
ユーザが行ないたい処理である第１の処理を受け付ける受付手段と、
受け付けられた前記第１の処理を行なうためのさらに具体的な処理である第２の処理を決定する決定手段と、
前記第２の処理に関連付けられ選択されることで当該第２の処理を行なう処理選択部を表示する前記表示手段における画像の表示を制御する画像制御手段と、
を備える画像形成装置。
【発明の詳細な説明】
【技術分野】
【０００１】
本発明は、処理装置、画像形成装置に関する。
【背景技術】
【０００２】
処理装置の表示手段において、自装置で行なうことができる処理の一覧を画像として表示するときがある。そしてユーザはこの一覧の中から実行したい処理を選択する方法が一般的に用いられている。この一覧は、例えば、予め定められた処理に関連付けられたアイコン等の処理選択部を並べることにより構成され、ユーザは、例えば、アイコン等をタッチすることで実行したい処理の選択を行なう。
【０００３】
特許文献１には、ＭＦＰの制御部は、携帯端末より、画像処理ジョブの実行条件に関する第１の情報と、携帯端末において実行条件を設定する実行条件設定画面の構成に関する第２の情報を受信すると、第１の情報に基づいて画像処理ジョブを予約登録して、操作パネルのジョブの予約一覧に表示し、その後、ジョブの予約一覧から予約ジョブが選択され、詳細表示ボタンをタップされれば、第２の情報の、画面構成情報に基づいて、予約ジョブの設定表示画面を、携帯端末の実行条件設定画面の画面レイアウトに合わせて生成し、操作パネルに表示するように構成したことが開示されている。
また特許文献２には、印刷システムは、情報処理装置のプリンタドライバが、印刷条件を設定する各種設定項目を表示するユーザインターフェイス画面での各設定項目を利用した印刷設定の利用状況を、各設定項目毎に所定の非表示条件と比較し、各設定項目の表示・非表示を制御することが開示されている。
さらに特許文献３には、補助装置において、ショートカット作成部は、情報提供装置のリモートコントローラに対する操作履歴に基づいて、曜日及び時間毎に、連続する複数の操作からなる設定指示をショートカットとして作成し、ショートカット表示部は、ショートカット作成部が作成したショートカットのうちの、現在の曜日における現在の時間を含む所定長の期間内の各ショートカットを、リモートコントローラを介してユーザにより指定可能に表示することが開示されている。
【先行技術文献】
【特許文献】
【０００４】
【特許文献１】特開２０１５−１２８８２８号公報
【特許文献２】特開２００７−２７９８９４号公報
【特許文献３】特開２０１５−５３６４２号公報
【発明の概要】
【発明が解決しようとする課題】
【０００５】
表示手段から処理を実行するには、通常は、処理に関する設定を行ない、その後でスタートボタン等を押下することでその処理が開始される。このとき予め設定を登録しておくことで処理に関する設定を行なう手間を軽減する方法が知られている。
しかしながら処理に関する設定を登録するのは、操作が複雑でありユーザにとって負担である。特に将来行なおうとする処理について事前に設定を登録することは、事前に処理の内容を予測して行なわなくてはならず、ユーザにとっては特に面倒と感じることが多い。その結果、この方法は使用されず、ユーザの手間が軽減されにくいという問題がある。
本発明は、ユーザから受け付けられた第１の処理からユーザが行なうと予測される第２の処理を生成し、第２の処理に関連付けられたアイコン等の処理選択部をユーザに提示することができる処理装置等を提供することを目的とする。
【課題を解決するための手段】
【０００６】
請求項１に記載の発明は、ユーザが行ないたい処理である第１の処理を受け付ける受付手段と、受け付けられた前記第１の処理を行なうためのさらに具体的な処理である第２の処理を決定する決定手段と、前記第２の処理に関連付けられ選択されることで当該第２の処理を行なう処理選択部を表示する表示手段における画像の表示を制御する画像制御手段と、を備える処理装置である。
請求項２に記載の発明は、前記画像制御手段は、前記第２の処理に関連付けられた複数の前記処理選択部をまとめて表示することを特徴とする請求項１に記載の処理装置である。
請求項３に記載の発明は、前記画像制御手段は、前記表示手段に対する予め定められたユーザの操作により、前記第２の処理に関連付けられた複数の前記処理選択部を当該表示手段上で集めることでまとめて表示することを特徴とする請求項２に記載の処理装置である。
請求項４に記載の発明は、前記画像制御手段は、前記第２の処理を実行後は、前記第２の処理に関連付けられた前記処理選択部を前記表示手段から消去することを特徴とする請求項１乃至３の何れか１項に記載の処理装置である。
請求項５に記載の発明は、前記画像制御手段は、前記第２の処理に関連付けられた複数の前記処理選択部の何れを選択し実行したかで、消去する当該処理選択部を変更することを特徴とする請求項４に記載の処理装置である。
請求項６に記載の発明は、前記決定手段は、ユーザが過去に前記第２の処理を実行した際の履歴を基に当該第２の処理を決定することを特徴とする請求項１乃至５の何れか１項に記載の処理装置である。
請求項７に記載の発明は、記録媒体に画像を形成する画像形成部と、画像を表示する表示手段と、自装置の制御を行なう制御部と、を備え、前記制御部は、ユーザが行ないたい処理である第１の処理を受け付ける受付手段と、受け付けられた前記第１の処理を行なうためのさらに具体的な処理である第２の処理を決定する決定手段と、前記第２の処理に関連付けられ選択されることで当該第２の処理を行なう処理選択部を表示する前記表示手段における画像の表示を制御する画像制御手段と、を備える画像形成装置である。
【発明の効果】
【０００７】
請求項１の発明によれば、ユーザから受け付けられた第１の処理からユーザが行なうと予測される第２の処理を生成し、第２の処理に関連付けられたアイコン等の処理選択部をユーザに提示することができる処理装置を提供できる。
請求項２の発明によれば、ユーザは、関連する第２の処理が把握しやすくなり、どれを選択すべきかの判断をしやすくなる。
請求項３の発明によれば、第２の処理に関連付けられた複数の処理選択部をまとめて表示させたいときに、これをユーザの操作により行なうことができる。
請求項４の発明によれば、必要がなくなったときに第２の処理に関連付けられたアイコン等の処理選択部を消去し、ユーザの手間を軽減することができる。
請求項５の発明によれば、第２の処理を行なう際のユーザ毎の操作の相違に合わせて、第２の処理に関連付けられたアイコン等の処理選択部を消去することができる。
請求項６の発明によれば、第２の処理を行なう際のユーザ毎の操作の相違に合わせて、第２の処理を決定することができる。
請求項７の発明によれば、ユーザから受け付けられた第１の処理からユーザが行なうと予測される第２の処理を生成し、第２の処理に関連付けられたアイコン等の処理選択部をユーザに提示することができる画像形成装置を提供できる。
【図面の簡単な説明】
【０００８】
【図１】画像形成装置のハードウェア構成例を示した図である。
【図２】操作パネルに表示される画像の一例を示した図である。
【図３】制御部の機能構成例を示したブロック図である。
【図４】本実施形態における画像形成装置の動作について説明したフローチャートである。
【図５】決定手段が、第２の処理を決定する処理について説明したフローチャートである。
【図６】作成されたワンタッチアプリのアイコンを表示したときの操作パネルについて示した図である。
【図７】ユーザがアイコンを長押しした場合の操作パネルについて示した図である。
【発明を実施するための形態】
【０００９】
＜画像形成装置の全体構成の説明＞
図１は、画像形成装置のハードウェア構成例を示した図である。
画像形成装置１０は、紙等の記録媒体に画像を形成し、印刷媒体として出力する装置である。画像形成装置１０は、プリンタ機能を備えるが、これに加えて例えば、スキャナ機能、ファクシミリ機能等の他の画像処理機能を備えている。
【００１０】
図示するように、画像形成装置１０は、ＣＰＵ（Central Processing Unit）１１と、ＲＡＭ（Random Access Memory）１２と、ＲＯＭ（Read Only Memory）１３と、ＨＤＤ（Hard Disk Drive）１４と、操作パネル１５と、画像読み取り部１６と、画像形成部１７と、通信Ｉ／Ｆ１８とを備える。そしてこれらがバスＢを介して必要なデータのやりとりを行なう。
【００１１】
ＣＰＵ１１は、ＲＯＭ１３等に記憶された各種プログラムをＲＡＭ１２にロードして実行することにより、後述する各機能を実現する。
【００１２】
ＲＡＭ１２は、ＣＰＵ１１の作業用メモリ等として用いられるメモリである。
ＲＯＭ１３は、ＣＰＵ１１が実行する各種プログラム等を記憶するメモリである。
ＨＤＤ１４は、画像読み取り部１６が読み取った画像情報や画像形成部１７における画像形成にて用いる画像情報等を記憶する例えば磁気ディスク装置である。
操作パネル１５は、各種情報の表示やユーザからの操作入力の受付を行なう例えばタッチパネルである。
【００１３】
画像読み取り部１６は、原稿に記録された画像を読み取る。ここで、画像読み取り部１６は、例えばスキャナであり、光源から原稿に照射した光に対する反射光をレンズで縮小してＣＣＤ（Charge Coupled Devices）で受光するＣＣＤ方式や、ＬＥＤ光源から原稿に順に照射した光に対する反射光をＣＩＳ（Contact Image Sensor）で受光するＣＩＳ方式のものを用いるとよい。
【００１４】
画像形成部１７は、記録媒体に画像を形成する印刷機構の一例である。ここで、画像形成部１７は、例えばプリンタであり、感光体に付着させたトナーを用紙等の記録媒体に転写して像を形成する電子写真方式や、インクを記録媒体上に吐出して像を形成するインクジェット方式のものを用いるとよい。
通信Ｉ／Ｆ１８は、ネットワークを介して他の装置との間で各種情報の送受信を行なう。
【００１５】
また本実施の形態では、ＣＰＵ１１、ＲＡＭ１２、ＲＯＭ１３、およびＨＤＤ１４で、自装置である画像形成装置１０の各機構部の制御を行なう制御部（処理装置）１００を構成する。
【００１６】
＜画像形成装置１０の動作の説明＞
このような画像形成装置１０を使用して、ユーザは、例えば、原稿のコピーを行なうことができる。即ち、画像読み取り部１６によって読み取られた原稿の画像情報を基に、画像形成部１７により画像を記録媒体上に形成することで原稿をコピーすることができる。またユーザは、画像形成装置１０に接続されたＬＡＮ（Local Area Network）等のネットワーク（図示せず）および通信Ｉ／Ｆ１８を介してＰＣ（Personal Computer）等の外部装置（図示せず）から印刷のジョブを画像形成装置１０に送信することでプリントを行なうことができる。即ち、印刷のジョブに含まれる画像情報を基に、画像形成部１７により画像を記録媒体上に形成することでプリントすることができる。さらにユーザは、ファクシミリの送受信を行なうことができる。即ち、画像読み取り部１６によって読み取られた原稿の画像情報をネットワークおよび通信Ｉ／Ｆ１８を介して送信できる。あるいはユーザは、原稿のスキャンを行なうことができる。即ち、画像読み取り部１６によって読み取られた原稿の画像情報をネットワークおよび通信Ｉ／Ｆ１８を介して外部装置に保存できる。
【００１７】
＜操作パネル１５の説明＞
次に操作パネル１５についてさらに詳しく説明を行なう。
操作パネル１５は、上述したように例えばタッチパネルである。操作パネル１５をタッチパネルにすることで、画像形成装置１０の画像形成条件などの各種情報はタッチパネルに表示される。そしてユーザは、タッチパネルをタッチすることで画像形成条件などの入力操作を行なう。
【００１８】
また操作パネル１５は、以下のように動作する。
図２は、操作パネル１５に表示される画像の一例を示した図である。
この場合、操作パネル１５には、画像形成装置１０が備える機能を実行するためのアイコンＩの一覧が画像として表示されている。この画像は、いわゆるホーム画面である。またこのとき表示されているアイコンＩは、予め定められた処理に関連付けられ、選択されることで処理を行なう処理選択部の一例である。
【００１９】
図示する例では、操作パネル１５は、コピー、ファクス／インターネットファクス、スキャナ（メール送信）、ジョブフロー、どこでもプリント、らくらくファクス、スキャナ（ＰＣ保存）、スキャナ（ボックス保存）、ワンタッチコピーのそれぞれの機能を表すアイコンＩを表示し、これを一覧としている。
【００２０】
そしてユーザは、目的の機能を利用するためには、何れかのアイコンを選択する選択操作を行なう。
選択操作は、例えば、ユーザがアイコンＩをタッチする操作である。ユーザがアイコンＩをタッチすると、例えば、アイコンＩに関連付けられた機能に対応する設定画面が表示される。例えば、「コピー」のアイコンＩをタッチすると、原稿のコピーを行なうための設定画面として、コピーを行なう枚数、使用する用紙の選択、白黒／カラーの選択、拡大／縮小の設定を行なう画面が表示される。そして設定後、ユーザが、図示しないスタートボタン等を押下すると、実際のコピー動作が開始される。
即ち、操作パネル１５は、アイコン（処理選択部）Ｉを表示するとともに、アイコンＩの選択を行なう表示手段として機能する。
【００２１】
また本実施の形態では、このうち「ワンタッチコピー」のアイコンＩは、ワンタッチアプリと言われるものとなっている。ワンタッチアプリは、ユーザが処理に対し希望する設定を予め行なったときに作成されるものである。つまりワンタッチアプリでは、ユーザが処理に対して希望する設定が既になされている。例えば、上述したコピーを行なう枚数、使用する用紙の選択等が既に設定されている。そのためユーザは「ワンタッチコピー」のアイコンＩをタッチすることで、迅速にこの処理を実行することができる。ワンタッチアプリを用意しておくことで、ユーザは、毎回複雑な設定を行う手間を省くことができる。なおワンタッチアプリには、アイコンＩをタッチすることで直ちにジョブが起動するもの（ダイレクト実行）と、確認画面を表示してユーザがスタートボタン等を押下することで処理が起動するもの（確認あり実行）がある。
【００２２】
しかしながらこのようなワンタッチアプリを作成するには、例えば、上述したコピーを行なう枚数、使用する用紙の選択等を予め設定する必要があり、ユーザにとって負担となることがある。またワンタッチアプリを作成する方法の他に、例えば、設定のデフォルト値を変更する方法やプリセットとして登録する方法などもあるが、同様にユーザにとって負担となることがある。
【００２３】
そこで本実施の形態では、ワンタッチアプリをいわば自動的に生成し、これによりユーザの負担を軽減する。
以下これを実現する制御部１００の構成について説明を行なう。
【００２４】
＜制御部１００の説明＞
図３は、制御部１００の機能構成例を示したブロック図である。なお図３では、制御部１００が有する種々の機能のうち本実施の形態に関係するものを選択して図示している。
図示するように本実施の形態の制御部１００は、受付手段１１０と、決定手段１２０と、実行手段１３０と、画像制御手段１４０と、ユーザ認証手段１５０と、履歴記憶手段１６０と、出力手段１７０とを備える。
【００２５】
受付手段１１０は、ユーザから第１の処理を受け付ける。ここで第１の処理は、ユーザが画像形成装置１０で行ないたい処理である。例えば、第１の処理は、図２で図示したアイコンＩに関連付けられた処理であり、コピー、ファクス／インターネットファクス等の処理である。このとき受付手段１１０は、操作パネル１５からユーザの指等が操作パネル１５の何れの位置に接触しているかの座標情報を取得する。そして受付手段１１０は、この座標情報から何れのアイコンＩが選択されているかを検知する。また受付手段１１０は、ユーザの操作によりユーザの選択の受け付けをするか否かを決定する。即ち、受付手段１１０が取得した座標情報から、ユーザの操作がタッチ操作であるか、長押し操作であるかなどを判別し、例えば、タッチ操作のときにユーザからの選択を受け付け、長押し操作のときは、ヘルプ画面を出すなどの他の動作を行なう。
また第１の処理は、例えば、ユーザがＰＣ等の外部装置から印刷のジョブを画像形成装置１０に送信することでプリントを行なうときは、この印刷のジョブである。
【００２６】
決定手段１２０は、受け付けられた第１の処理を行なうためのさらに具体的な処理である第２の処理を決定する。ここで第２の処理の内容については、後で詳述する。
【００２７】
実行手段１３０は、受付手段１１０によりアイコンＩの選択が受け付けられたときに、このアイコンＩに関連付けられた処理を実行する。実際には、画像形成装置３０の各機構部に対し制御信号を出力し、各機構部を制御することでユーザの希望する処理を実現する。
例えば、スキャン処理の場合は、実行手段１３０は、画像読み取り部１６を制御し原稿の画像を読み取る読み取り処理を行なう。さらに実行手段１３０は、画像処理を行ない、画像処理後の画像情報を後述する出力手段１７０から出力する。また例えば、コピー処理の場合は、実行手段１３０は、画像読み取り部１６を制御し原稿の画像を読み取る読み取り処理を行なう。さらに実行手段１３０は、画像処理を行ない、画像処理後の画像情報を画像形成部１７に送り、画像形成部１７を制御して印刷を行なう。
【００２８】
画像制御手段１４０は、操作パネル１５における画像の表示を制御する。即ち、画像制御手段１４０は、図２で説明したような画像の画像情報を作成する。そして後述する出力手段１７０から画像情報を出力する。これにより操作パネル１５では、図２で説明したような画像が表示される。
【００２９】
ユーザ認証手段１５０は、画像形成装置１０を使用するユーザの認証を行なう。ユーザの認証は、例えば、ユーザが操作パネル１５からユーザＩＤとパスワードを入力するような方法でもよく、画像形成装置１０に別途ＮＦＣ（Near Field Communication）等を設け、ＮＦＣにユーザがＩＤカードをかざすような方法でもよい。図では、ユーザ認証手段１５０は、ユーザＩＤおよびパスワードによりユーザの認証を行なう場合について示している。
【００３０】
履歴記憶手段１６０は、画像形成装置１０を使用する各ユーザが過去に行った処理の履歴を記憶する。
【００３１】
出力手段１７０は、画像形成装置３０の各機構部に対し制御信号を出力する。また出力手段１７０は、画像情報を出力する必要があるときに、画像情報を出力する。
【００３２】
次に制御部１００の動作についてさらに詳しく説明を行なう。
ここでは、ユーザがＰＣ等の外部装置から印刷のジョブを画像形成装置１０に送信することでプリントを行なう場合を例に取り説明を行なう。さらにここでは画像形成装置１０では、いわゆるプライベートプリントにより印刷を行なう場合を例に取り説明を行なう。プライベートプリントの場合、ユーザは、画像形成装置１０でユーザ認証を行なう。そしてユーザ認証を行なったユーザに対する印刷のジョブの内容が操作パネル１５に表示され、ユーザは、ここから操作パネル１５を操作して印刷を行なう。プライベートプリントで印刷を行なった場合、印刷文書の持ち去りや覗き見を防ぐことができ、セキュリティ性がより向上する。
【００３３】
図４は、本実施形態における画像形成装置１０の動作について説明したフローチャートである。
プライベートプリントでは、ユーザは、予めＰＣ等から印刷のジョブを画像形成装置１０に送信しておく。このとき制御部１００の受付手段１１０は、第１の処理としてこの印刷のジョブを受け付ける（ステップ１０１）。
【００３４】
そしてユーザは、画像形成装置１０の設置している場所に出向き、ユーザ認証を行なう（ステップ１０２）。このユーザ認証は、制御部１００のユーザ認証手段１５０により行われる。
【００３５】
次に決定手段１２０が、受け付けられた第１の処理を行なうためのさらに具体的な処理である第２の処理を決定する（ステップ１０３）。本実施の形態では、第２の処理は、ワンタッチアプリとなる。
図５は、決定手段１２０が、第２の処理（ワンタッチアプリ）を決定する処理について説明したフローチャートである。つまり図５は、ステップ１０３をさらに詳しく説明した図である。
まず決定手段１２０は、送られた印刷のジョブの他に、他の印刷のジョブが蓄積されているか否かを判断する（ステップ１０３−１）。
【００３６】
そして蓄積されていなかった場合（ステップ１０３−１でＮｏ）、ステップ１０３−７に移行する。
対して蓄積されていた場合（ステップ１０３−１でＹｅｓ）、決定手段１２０は、送られた印刷のジョブと他の印刷のジョブと同名であるか否かを判断する（ステップ１０３−２）。
【００３７】
そして同名ではなかった場合（ステップ１０３−２でＮｏ）、ステップ１０３−７に移行する。
対して同名であった場合（ステップ１０３−２でＹｅｓ）、決定手段１２０は、履歴記憶手段１６０を参照し、ユーザが印刷のジョブの実行後にジョブの削除を行なっているか否かを判断する（ステップ１０３−３）。
【００３８】
そして削除を行なっていない場合（ステップ１０３−３でＮｏ）、決定手段１２０は、後述するワンタッチアプリの実行後に印刷のジョブを削除しない設定にする（ステップ１０３−４）。
対して削除を行なっている場合（ステップ１０３−３でＹｅｓ）、決定手段１２０は、後述するワンタッチアプリの実行後に印刷のジョブを削除する設定にする（ステップ１０３−５）。
【００３９】
さらに決定手段１２０は、「最新文書のみ印刷」のワンタッチアプリを作成する（ステップ１０３−６）。これは、ユーザが送信した印刷のジョブのうち最新のものだけを印刷するワンタッチアプリである。
【００４０】
次に決定手段１２０は、履歴記憶手段１６０を参照し、ユーザがテスト印刷を行なったことがあるか否かを判断する（ステップ１０３−７）。
【００４１】
そしてテスト印刷を行なったことがない場合（ステップ１０３−７でＮｏ）、ステップ１０３−９に移行する。
対してテスト印刷を行なったことがある場合（ステップ１０３−７でＹｅｓ）、決定手段１２０は、「テスト印刷」のワンタッチアプリを作成する（ステップ１０３−８）。これは、ユーザが送信した印刷のジョブのうち一部のページ（例えば、最新の印刷のジョブのフロントページ）をテスト印刷するワンタッチアプリである。
【００４２】
さらに決定手段１２０は、「全文書印刷」のワンタッチアプリを作成する（ステップ１０３−９）。これは、蓄積された印刷のジョブを全て印刷するワンタッチアプリである。
【００４３】
本実施の形態では、ユーザが送った印刷のジョブが複数あり、これらが同名であったとき（ステップ１０３−２でＹｅｓ）は、ユーザが修正前の文書と修正後の文書を複数の印刷のジョブとして画像形成装置１０に送信した場合と考える。そのためこの場合、決定手段１２０は、修正後の文書に対する印刷のジョブである最新文書について印刷を行なう「最新文書のみ印刷」のワンタッチアプリを作成する（ステップ１０３−６）。
また本実施の形態では、ユーザがテスト印刷を行なったことがない場合（ステップ１０３−７でＮｏ）は、今回もテスト印刷を行なわないと考え、「テスト印刷」のワンタッチアプリを作成しない。一方でテスト印刷を行なったことがある場合（ステップ１０３−７でＹｅｓ）は、今回もテスト印刷を行なう可能性があると考え、「テスト印刷」のワンタッチアプリを作成する。
なお本実施の形態では、「全文書印刷」のワンタッチアプリは、必ず作成される。
【００４４】
これら「全文書印刷」、「最新文書のみ印刷」、「テスト印刷」は、受け付けられた第１の処理を行なうためのさらに具体的な処理である第２の処理の一例である。また本実施の形態では、決定手段１２０は、ユーザが過去に第２の処理を実行した際の履歴を基に第２の処理を決定する。
【００４５】
ここで「第１の処理を行なうためのさらに具体的な処理である第２の処理」とは、第１の処理を行なうためにより詳細な設定がなされた処理である。この場合、第１の処理は、印刷のジョブである。そしてユーザが過去に第２の処理を実行した際の履歴から、印刷のジョブを行なうための設定として、全ての文書を印刷する場合が想定されるため、「全文書印刷」が第２の処理として決定される。また同様に最新文書のみ印刷する場合が想定されるため、「最新文書のみ印刷」が第２の処理として決定される。さらに同様にテスト印刷を行なう場合が想定されるため、「テスト印刷」が第２の処理として決定される。
【００４６】
この場合、決定手段１２０は、印刷のジョブの中から何れを印刷するかに着目して第２の処理を決定している。ただしこれに限られるものではなく、他にも例えば、印刷条件（「両面／片面／製本」、「コピー部数」、「Ｎアップ数（１ページへの集約ページ数）」、「倍率」、「カラーモード」、「用紙選択」など）等に着目して第２の処理を決定してもよい。例えば、第１の処理が、印刷のジョブであったときに、第２の処理として、高繊細な画像を印刷する「テスト印刷」が決定されるとともに、白黒モードで印刷する「社内プリント」が決定されてもよい。
【００４７】
図４に戻り、画像制御手段１４０は、図２に示したアイコンＩに加え、ステップ１０３で作成されたワンタッチアプリのアイコンＩを操作パネル１５に表示する（ステップ１０４）。
図６は、作成されたワンタッチアプリのアイコンＩを表示したときの操作パネル１５について示した図である。
ここでは、「全文書印刷」、「最新文書のみ印刷」、「テスト印刷」の３種類のワンタッチアプリが全て作成され、これらのアイコンＩが操作パネル１５に表示された場合を示している。図示するように図２に示した場合に比較して、これら３種類のワンタッチアプリのアイコンＩが追加して表示されている。
【００４８】
再び図４に戻り、次に受付手段１１０が、ユーザがアイコンＩをタッチしているか否かを判断する（ステップ１０５）。
【００４９】
そしてユーザがアイコンＩをタッチした場合（ステップ１０５でＹｅｓ）、ステップ１１０に移行する。
対してユーザがアイコンＩをタッチしていない場合（ステップ１０５でＮｏ）、受付手段１１０は、ユーザがアイコンＩを長押ししているか否かを判断する（ステップ１０６）。
【００５０】
そしてユーザがアイコンＩを長押ししていない場合（ステップ１０６でＮｏ）、ステップ１０５に戻る。
対してユーザがアイコンＩを長押ししていた場合（ステップ１０６でＹｅｓ）、画像制御手段１４０は、長押ししたアイコンＩに関連するワンタッチアプリが存在するか否かを判断する（ステップ１０７）。
【００５１】
そして関連するワンタッチアプリが存在しない場合（ステップ１０７でＮｏ）、ステップ１１０に移行する。
対して関連するワンタッチアプリが存在する場合（ステップ１０７でＹｅｓ）、画像制御手段１４０は、関連するワンタッチアプリのアイコンＩを操作パネル１５上で集めることでまとめて表示する（ステップ１０８）。
【００５２】
図７は、ユーザがアイコンＩを長押しした場合の操作パネル１５について示した図である。
図示する例では、「最新文書のみ印刷」のワンタッチアプリのアイコンＩをユーザが長押しした場合を示している。この場合、「最新文書のみ印刷」に関連するワンタッチアプリは、「全文書印刷」および「テスト印刷」の２つである。よって「全文書印刷」および「テスト印刷」のアイコンＩを「最新文書のみ印刷」のアイコンＩの位置に隣接する箇所に集め、まとめて表示する。これによりユーザは、関連するワンタッチアプリが把握しやすくなり、どのワンタッチアプリを選択すべきかの判断をしやすくなる。
【００５３】
再び図４に戻り、受付手段１１０は、ユーザが操作パネル１５上で指を滑らせ、集まった関連するワンタッチアプリの何れかのアイコンＩに移動したか否かを判断する（ステップ１０９）。
【００５４】
そして移動しなかった場合（ステップ１０９でＮｏ）、ステップ１０９に戻る。
対して移動した場合（ステップ１０９でＹｅｓ）、実行手段１３０は、ユーザがタッチ等を行なったアイコンＩに関連付けられたワンタッチアプリを実行する（ステップ１１０）。
【００５５】
またワンタッチアプリの実行後は、画像制御手段１４０が、実行したワンタッチアプリに関連するワンタッチアプリが存在するか否かを判断する（ステップ１１１）。
【００５６】
そして存在しなかった場合（ステップ１１１でＮｏ）、ステップ１１４に移行する。
対して存在した場合（ステップ１１１でＹｅｓ）、画像制御手段１４０が、ユーザが「テスト印刷」を実行したか否かを判断する（ステップ１１２）。
【００５７】
その結果、「テスト印刷」を実行した場合（ステップ１１２でＹｅｓ）、ステップ１１４に移行する。
対して「テスト印刷」を実行しなかった場合（ステップ１１２でＮｏ）、実行したワンタッチアプリ（「テスト印刷」のワンタッチアプリ）に関連するワンタッチアプリ（「全文書印刷」および「テスト印刷」のワンタッチアプリ）を削除する（ステップ１１３）。
さらに実行したワンタッチアプリを削除する（ステップ１１４）。
【００５８】
この場合、実行したワンタッチアプリが「テスト印刷」であった場合（ステップ１１２でＹｅｓ）、「テスト印刷」のワンタッチアプリのみが削除される。また実行したワンタッチアプリが「テスト印刷」以外であった場合（ステップ１１２でＮｏ）、「全文書印刷」、「最新文書のみ印刷」、「テスト印刷」の全てのワンタッチアプリが削除される。ユーザが、「テスト印刷」を実行した場合は、「全文書印刷」または「最新文書のみ印刷」を実行する可能性があるので、これらのワンタッチアプリは残す。しかし実行したワンタッチアプリが「テスト印刷」以外（「全文書印刷」または「最新文書のみ印刷」）であった場合は、ユーザはこれ以上の印刷は行なわないと考えられるため全てのワンタッチアプリを削除する。
【００５９】
この場合、画像制御手段１４０は、第２の処理を実行後は、第２の処理に関連付けられたアイコンＩを操作パネル１５から消去する。さらにこの場合、画像制御手段１４０は、第２の処理に関連付けられた複数のアイコンＩの何れを選択し実行したかで、消去するアイコンＩを変更する。
【００６０】
以上説明した形態によれば、制御部１００は、ユーザが希望する第１の処理を行なうために必要であり、ユーザが行ないたい、より具体的な処理である第２の処理を予測する。そして制御部１００は、第２の処理についてのワンタッチアプリをいわば自動的に生成し、アイコンＩとして操作パネル１５上に表示することでユーザに提示することができる。また第２の処理が複数予測される場合は、複数のアイコンＩが作成され、ユーザはその中から希望の処理を選択することができる。そのためユーザは、ワンタッチアプリを自ら作成する必要がなく、ユーザの手間が軽減される。また第１の処理が終了後は、作成したワンタッチアプリはいわば自動的に削除され、ワンタッチアプリのアイコンＩも自動的に削除される。そのためユーザは、第１の処理を行なった後に、これらのアイコンＩを自ら削除する必要はなく、ユーザの手間が軽減される。
【００６１】
なお上述した例では、ユーザが第１の処理として、ユーザがＰＣ等の外部装置から印刷のジョブを画像形成装置１０に送信することでプリントを行なう場合について説明したがこれに限られるものではない。
【００６２】
例えば、ユーザが行ないたい第１の処理が、ファクシミリの送信を行なう処理であるとする。このときファクシミリの送信が失敗（もしくはキャンセル）した場合を考える。この場合、制御部１００は、第２の処理として、「宛先を変えずに再送信」、「宛先を変更して再送信」、「全ての宛先に再送信」、「失敗した宛先にのみ再送信」などのワンタッチアプリを作成する。そしてこれに関連付けられたアイコンＩを操作パネル１５に表示する。
【００６３】
また例えば、ユーザが行ないたい第１の処理が、画像形成装置１０の電源を落とす処理であるとする。この場合、制御部１００は、第２の処理として、「蓄積文書を印刷してからシャットダウン」、「セキュリティパッチをインストールしてからシャットダウン」などのワンタッチアプリを作成する。そしてこれに関連付けられたアイコンＩを操作パネル１５に表示する。
【００６４】
さらに図書館やコンビニエンスストアなどに設置されている課金式の画像形成装置１０において、ユーザが行ないたい第１の処理が、画像形成装置１０でコピーを行なう処理であるとする。この場合、制御部１００は、ユーザが投入した金額により、第２の処理として、「白黒コピー」、「カラーコピー」、「デジカメプリント」などのワンタッチアプリを作成する。即ち、制御部１００は、投入した金額が少ない場合は、「カラーコピー」や「デジカメプリント」のワンタッチアプリを作成せず、「白黒コピー」のワンタッチアプリを作成する。また制御部１００は、投入した金額が多い場合は、全てのワンタッチアプリを作成する。そしてこれに関連付けられたアイコンＩを操作パネル１５に表示する。
【００６５】
また上述した例では、処理装置として画像形成装置１０を例に取り説明を行なったがこれに限られるものではない。即ち、表示手段をタッチ等することで入力を行なう装置であれば、本実施の形態の適用が可能である。例えば、アプリケーションソフトウェアのアイコンを並べて表示する携帯電話、スマートフォン、タブレットのような機器に対しても適用できる。
【００６６】
そして以上説明した例では、ユーザがアイコンＩを長押しする場合を示したが、これに限られるものではない。例えば、ダブルタップ、３Ｄタッチを用いた強い押し込み動作、２本指によるピンチイン等の操作であってもよい。
【００６７】
また作成する第２の処理のアイコンＩは、タッチ等したときに、ダイレクト実行するものを使用、確認あり実行するものを使用、ダイレクト実行／確認あり実行の併用の何れであってもよい。
【符号の説明】
【００６８】
１０…画像形成装置、１５…操作パネル、１００…制御部、１１０…受付手段、１２０…決定手段、１３０…実行手段、１４０…画像制御手段、１５０…ユーザ認証手段、１６０…履歴記憶手段、１７０…出力手段
【図１】
2018045556.tif 000003
【図２】
2018045556.tif 000004
【図３】
2018045556.tif 000005
【図４】
2018045556.tif 000006
【図５】
2018045556.tif 000007
【図６】
2018045556.tif 000008
【図７】
2018045556.tif 000009